(57)【要約】【課題】目視検査型接続器の提供。【解決手段】本発明は雌型コネクタと雄型コネクタを具え、これにより縦長方向に二つの部品を接続する。雌型コネクタは該二つの部品の一方の横向き側縁部分に固定され、その横方向に沿って少なくとも一つの挿入溝が凹設されている。雄型コネクタは略凸塊状を呈し、二つの部品のもう一方の部品の横向き側縁に固定され、並びに雌型コネクタに対応する部分において、雄型コネクタにその横方向に沿って少なくとも一つの凸条が設けられてこれら挿入溝に対応し、雄型コネクタのこれら凸条が横向きに雌型コネクタの挿入溝内に挿入されることにより接続を完成する。本発明は挿入溝と凸条の嵌挿方式により二つの部品を接続し、これにより接続の状況を目視方式で明らかに知ることができ、検査標準に符合するか否かを検査でき、工程の安全を高めるのに有効である。【選択図】　　　　図１
2004019164.tif 000002
【特許請求の範囲】
【請求項１】
縦長方向に二つの部品を接続するための目視検査型接続器において、
雌型コネクタとされ、上述の二つの部品のうち一方の横向き側縁部分に固定され、該雌型コネクタにその横方向に沿って少なくとも一つの挿入溝が凹設された、上記雌型コネクタと、
雄型コネクタとされ、上述の二つの部品のうちもう一方の横向き側縁部分にあって該雌型コネクタに対応する部分に固定され、該雄型コネクタにその横方向に沿って少なくとも一つの凸条がこれら挿入溝に対応するよう凸設され、該雄型コネクタのこれら凸条が横向きに雌型コネクタの挿入溝内に挿入されて接続を完成する、上記雄型コネクタと、
を具えたことを特徴とする、目視検査型接続器。
【請求項２】
請求項１に記載の目視検査型接続器において、挿入溝及び又は凸条が横向きにテーパ角度を有するよう形成されたことを特徴とする、目視検査型接続器。
【請求項３】
縦長方向に二つの部品を接続するための目視検査型接続器において、
二つの雌型コネクタとされ、上述の二つの部品の相互対応端の横向き側縁部分に固定され、該二つの雌型コネクタにその横方向に沿って少なくとも一つの挿入溝が凹設された、上記二つの雌型コネクタと、
一つの雄型コネクタとされ、その横方向に沿って少なくとも一つの凸条がこれら挿入溝に対応するよう凸設され、該雄型コネクタのこれら凸条が横向きに該二つの雌型コネクタの挿入溝内に挿入されて接続を完成する、上記一つの雄型コネクタと、
を具えたことを特徴とする、目視検査型接続器。
【請求項４】
請求項３に記載の目視検査型接続器において、挿入溝及び又は凸条が横向きにテーパ角度を有するよう形成されたことを特徴とする、目視検査型接続器。
【請求項５】
縦長方向に二つの部品を接続するための目視検査型接続器において、
一つの雌型コネクタとされ、その横方向に沿って少なくとも一つの挿入溝が凹設された、上記一つの雌型コネクタと、
二つの雄型コネクタとされ、上述の二つの部品の相互対応端の横向き側縁部分に固定され、該二つの雄型コネクタにその横方向に沿ってこれら挿入溝に対応する少なくとも一つの凸条が凸設され、該二つの雄型コネクタのこれら凸条が横向きに雌型コネクタの挿入溝内に挿入されて接続を完成する、上記二つの雄型コネクタと、
を具えたことを特徴とする、目視検査型接続器。
【請求項６】
請求項５に記載の目視検査型接続器において、挿入溝及び又は凸条が横向きにテーパ角度を有するよう形成されたことを特徴とする、目視検査型接続器。
【発明の詳細な説明】
【０００１】
【発明の属する技術分野】
本発明は一種の目視検査型接続器に係り、特に、二つの部品の軸方向の引張り力及び圧力を伝播するのに適用され、並びに目視方式で１００％完全検査を実行できる接続器に関する。
【０００２】
【従来の技術】
接続器は二者或いは二者以上を連結するための部品である。建築材料中の鉄筋接続器を例に挙げると、その発明からすでに２０余年が過ぎ、且つ少なからぬ発明が生まれている。周知の方式は、油圧器で鋼スリーブと鉄筋を圧接し並びに鋼スリーブと鉄筋の形成する間隙を、無収縮のセメント或いはその他の接着剤で充填するものである。
【０００３】
上述の方式は、現場での検査が難しく、例えばネジ山の螺合方式で二つの部品を接続し、ネジ山が対応するスリーブ内に螺合した後は、目視方式で直接それが完全に接続されたか否かを検査することは難しい。現在の検査方式はサンプリング検査であるが、しかし接続器数量は膨大であり、且つ各接続器の施工品質は現場の作業員の影響を受けるため、各接続器の安定性を均一に確保することは難しく、工程の安全に不確定性が増加した。
【０００４】
【発明が解決しようとする課題】
ゆえに、本発明の主要な目的は、一種の目視検査型接続器を提供することにあり、それは目視方式で部品の接続が検査標準に符合するか否かを検査できるものとする。
【０００５】
【課題を解決するための手段】
請求項１の発明は、縦長方向に二つの部品を接続するための目視検査型接続器において、
雌型コネクタとされ、上述の二つの部品のうち一方の横向き側縁部分に固定され、該雌型コネクタにその横方向に沿って少なくとも一つの挿入溝が凹設された、上記雌型コネクタと、
雄型コネクタとされ、上述の二つの部品のうちもう一方の横向き側縁部分にあって該雌型コネクタに対応する部分に固定され、該雄型コネクタにその横方向に沿って少なくとも一つの凸条がこれら挿入溝に対応するよう凸設され、該雄型コネクタのこれら凸条が横向きに雌型コネクタの挿入溝内に挿入されて接続を完成する、上記雄型コネクタと、
を具えたことを特徴とする、目視検査型接続器としている。
請求項２の発明は、請求項１に記載の目視検査型接続器において、挿入溝及び又は凸条が横向きにテーパ角度を有するよう形成されたことを特徴とする、目視検査型接続器としている。
請求項３の発明は、縦長方向に二つの部品を接続するための目視検査型接続器において、
二つの雌型コネクタとされ、上述の二つの部品の相互対応端の横向き側縁部分に固定され、該二つの雌型コネクタにその横方向に沿って少なくとも一つの挿入溝が凹設された、上記二つの雌型コネクタと、
一つの雄型コネクタとされ、その横方向に沿って少なくとも一つの凸条がこれら挿入溝に対応するよう凸設され、該雄型コネクタのこれら凸条が横向きに該二つの雌型コネクタの挿入溝内に挿入されて接続を完成する、上記一つの雄型コネクタと、
を具えたことを特徴とする、目視検査型接続器としている。
請求項４の発明は、請求項３に記載の目視検査型接続器において、挿入溝及び又は凸条が横向きにテーパ角度を有するよう形成されたことを特徴とする、目視検査型接続器としている。
請求項５の発明は、縦長方向に二つの部品を接続するための目視検査型接続器において、
一つの雌型コネクタとされ、その横方向に沿って少なくとも一つの挿入溝が凹設された、上記一つの雌型コネクタと、
二つの雄型コネクタとされ、上述の二つの部品の相互対応端の横向き側縁部分に固定され、該二つの雄型コネクタにその横方向に沿ってこれら挿入溝に対応する少なくとも一つの凸条が凸設され、該二つの雄型コネクタのこれら凸条が横向きに雌型コネクタの挿入溝内に挿入されて接続を完成する、上記二つの雄型コネクタと、
を具えたことを特徴とする、目視検査型接続器としている。
請求項６の発明は、請求項５に記載の目視検査型接続器において、挿入溝及び又は凸条が横向きにテーパ角度を有するよう形成されたことを特徴とする、目視検査型接続器としている。
【０００６】
【発明の実施の形態】
本発明の目視検査型接続器は、雌型コネクタと雄型コネクタを具え、これにより縦長方向に二つの部品を接続する。雌型コネクタは該二つの部品の一方の横向き側縁部分に固定され、その横方向に沿って少なくとも一つの挿入溝が凹設されている。雄型コネクタは略凸塊状を呈し、二つの部品のもう一方の部品の横向き側縁に固定され、並びに雌型コネクタに対応する部分において、雄型コネクタにその横方向に沿って少なくとも一つの凸条が設けられてこれら挿入溝に対応し、雄型コネクタのこれら凸条が横向きに雌型コネクタの挿入溝内に挿入されることにより接続を完成する。本発明は挿入溝と凸条の嵌挿方式により二つの部品を接続し、これにより接続の状況を目視方式で明らかに知ることができ、検査標準に符合するか否かを検査でき、工程の安全を高めるのに有効である。
【０００７】
雌型コネクタは略コ字形を呈し、雄型コネクタは略凸塊状を呈し、相互に対応する雌型コネクタの内側面と雄型コネクタの外側面に上述の挿入溝と凸条が凹設或いは凸設され、挿入溝と凸条の断面形状が逆台形、矩形、半円形、三角形とされる。
【０００８】
上述の雌型コネクタと雄型コネクタははんだ付け或いはその他のはんだ付け規範に符合する方式により部品に固定されるか、或いは摩擦溶接、螺旋等の方式で固定される。
【０００９】
別に、使用上、変化した応用が可能で、一つ目は、二つの雌型コネクタを使用し、それぞれ上述の二つの部品の相互の対応端の横向き側縁部分に設け、及び、一つの雄型コネクタとを使用する。雌型コネクタと雄型コネクタに相互に対応する挿入溝と凸条を設けて接続を完成する。二つ目は、二つの雄型コネクタを使用し、それぞれ上述の二つの部品の相互の対応端の横向き側縁部分に設け、及び、一つの雄型コネクタとを使用する。雌型コネクタと雄型コネクタに相互に対応する挿入溝と凸条を設けて接続を完成する。
【００１０】
【実施例】
図１に示される本発明の第１実施例は、雌型コネクタ１０と雄型コネクタ２０を具え、該雌型コネクタ１０は一つの部品の横向き側縁１００部分に固定され、この横方向（図中Ｘ方向）は部品の縦長方向（図中Ｙ方向）に垂直である。この雌型コネクタ１０はコ字形を呈し、内部に二つの対向する内側面１０２が形成され、内側面１０２内においてその横方向に沿って８か所の挿入溝１０１が凹設されている。雄型コネクタ２０は略凸塊状を呈し、もう一つの部品の横向き側縁２００にあって、雌型コネクタ１０に対応する部分に固定され、雄型コネクタ２０に形成された外側面２０２は雌型コネクタ１０の内側面１０２に対応し、外側面２０２に横方向に沿って８か所の凸条２０１が設けられてこれら挿入溝１０１に対応し、すなわち雄型コネクタ２０のこれら凸条２０１が横向きに雌型コネクタ１０の挿入溝１０１内に挿入されて接続を完成する。接続の状況は目視方式で明らかに分かり、並びに検査標準に符合するか否かを検査でき、工程安全の向上に有効である。
【００１１】
本実施例中において、雌型コネクタ１０と雄型コネクタ２０ははんだ付け方式で部品に固定される。別に挿入溝１０１と凸条２０１は逆台形状とされ、且つそれは１／１００のテーパ角度を有して嵌挿及び限位に有利である。
【００１２】
図２に示される本発明の第２実施例において、雌型コネクタ１１と雄型コネクタ２１ははんだ付け方式で部品に組み付けられるが、コネクタと部品の接合ははんだ付け以外のはんだ付け規範に符合する方式、摩擦溶接、螺旋等の方式とされうる。このほか、本実施例中の雄型コネクタ２１はテーパ角度を現出し、これにより雄型コネクタ２１の形状は方形ブロック状を唯一のものとするわけではない。
【００１３】
図３に示される本発明の第３実施例において、雌型コネクタ１２と雄型コネクタ２２の挿入溝１２１と凸条２２１の形状は方形を呈し、図４も同時に参照されたいが、その雌型コネクタ１３と雄型コネクタ２３の挿入溝１３１と凸条２３１の形状は半円形を呈し、これにより挿入溝１３１と凸条２３１の形状もまた台形を唯一のものとするわけではない。
【００１４】
図５に示される本発明の第５実施例において、雌型コネクタ１４と雄型コネクタ２４はいずれもブロック状とされ、その対応する面に挿入溝１４１と凸条２４１が形成され、これもまた接続の目的を達成することができる。
【００１５】
図６に示される本発明の第６実施例において、雌型コネクタ１５と雄型コネクタ２５はＬ形を呈し、同様に接続の目的を達成できる。その挿入溝１５１と凸条２５１はいずれも上述したとおりである。
【００１６】
図７に示される本発明の第７実施例は、板状物の接続に応用され、この板状物は鋼板等とされ、且つその横方向（図中Ｘ方向）と縦長方向（図中Ｙ方向）の定義はいずれも上述したとおりである。本実施例は二つの雌型コネクタ１６を具え、それぞれ二つの部品の対応端の横向き側縁１６０部分に固定され、且つ内側面１６２及び内側面１６２上の挿入溝１６１が形成されている。別に一つの雄型コネクタ２６に、同様に外側面２６２、外側面２６２上の凸条２６１が形成されて嵌挿接続に供される。
【００１７】
図８に示される本発明の第８実施例は、二つの雄型コネクタ２７を具え、それぞれ二つの部品の対応端の横向き側縁２７０部分に固定され、並びに外側面２７２と、外側面２７２上の凸条２７１が形成されている。別に一つの雌型コネクタ１７は、エ字形を呈し、それに内側面１７２と、内側面１７２上の挿入溝１７１が形成されて、嵌挿接続に供される。
【００１８】
図９に示される本発明の第９実施例は、第７実施例のＨ型鋼接続への応用である。以上の各実施例から分かるように、本発明を応用する接続部品は各種形状の鉄筋、鋼板、Ｈ型鋼等とされる。
【００１９】
【発明の効果】
総合すると、本発明はその目的、手段、機能のいずれにおいても従来の技術の特徴とは異なり、目視検査型接続器の一大突破である。しかし、以上の実施例は発明の実施範囲を限定するものではなく、本発明に基づきなしうる細部の修飾或いは改変は、いずれも本発明の請求範囲に属するものとする。
【図面の簡単な説明】
【図１】本発明の第１実施例の斜視図である。
【図２】本発明の第２実施例表示図である。
【図３】本発明の第３実施例表示図である。
【図４】本発明の第４実施例表示図である。
【図５】本発明の第５実施例表示図である。
【図６】本発明の第６実施例表示図である。
【図７】本発明の第７実施例表示図である。
【図８】本発明の第８実施例表示図である。
【図９】本発明の第９実施例表示図である。
【符号の説明】
１０　雌型コネクタ　　　　１００　横向き側縁
１０１　挿入溝　　　　　　１０２　内側面
２０　雄型コネクタ　　　　２００　横向き側縁
２０１　凸条　　　　　　　２０２　外側面
１１　雌型コネクタ　　　　２１　雄型コネクタ
１２　雌型コネクタ　　　　１２１　挿入溝
２２　雄型コネクタ　　　　２２１　凸条
１３　雌型コネクタ　　　　１３１　挿入溝
２３　雄型コネクタ　　　　２３１　凸条
１４　雌型コネクタ　　　　１４１　挿入溝
２４　雄型コネクタ　　　　２４１　凸条
１５　雌型コネクタ　　　　１５１　挿入溝
２５　雄型コネクタ　　　　２５１　凸条
１６　雌型コネクタ　　　　１６０　横向き側縁
１６１　挿入溝　　　　　　１６２　内側面
２６　雄型コネクタ　　　　２６１　凸条
２６２　外側面　　　　　　１７　雌型コネクタ
１７１　挿入溝　　　　　　１７２　内側面
２７　雄型コネクタ　　　　２７０　横向き側縁
２７１　凸条　　　　　　　２７２　外側面
【図１】
2004019164.tif 000003
【図２】
2004019164.tif 000004
【図３】
2004019164.tif 000005
【図４】
2004019164.tif 000006
【図５】
2004019164.tif 000007
【図６】
2004019164.tif 000008
【図７】
2004019164.tif 000009
【図８】
2004019164.tif 000010
【図９】
2004019164.tif 000011